(57)【要約】【課題】ドラムスクリーン装置において、スクリーン本体の上流側でし渣が大きな塊に成長することを抑制でき、かつ、ドラムスクリーン装置の安定した稼働を可能にする。【解決手段】処理対象水を流すための流入槽を有する水路部と、軸方向が水路部の幅方向に向くように配される回転軸、及び、回転軸に対してその軸方向に間隔をあけて設けられる複数のディスクを有し、流入槽の下流側に回転軸を中心に回転自在に設けられるスクリーン本体と、流入槽の底面の下流側に位置し、スクリーン本体と流入槽の底面との間に隙間が生じないように設けられた下流底面部と、を備え、複数のディスクは、基準ディスクと、基準ディスクの径とは異なる径を有する異径ディスクと、を含み、異径ディスクの径は、基準ディスクの径よりも大きい、ドラムスクリーン装置を提供する。【選択図】図２Ａ
2018066239.tif 000002
【特許請求の範囲】
【請求項１】
処理対象水を流すための流入槽を有する水路部と、
軸方向が前記水路部の幅方向に向くように配される回転軸、及び、前記回転軸に対してその軸方向に間隔をあけて設けられる複数のディスクを有し、前記流入槽の下流側に前記回転軸を中心に回転自在に設けられるスクリーン本体と、
前記流入槽の底面の下流側に位置し、前記スクリーン本体と前記流入槽の底面との間に隙間が生じないように設けられた下流底面部と、を備え、
前記複数のディスクは、第１ディスクと、前記第１ディスクの径とは異なる径を有する第２ディスクと、を含み、
前記第２ディスクの径は、前記第１ディスクの径よりも大きいドラムスクリーン装置。
【請求項２】
前記複数のディスクは、少なくとも２つの前記第２ディスクを含む請求項１に記載のドラムスクリーン装置。
【請求項３】
前記第２ディスクのうち、一対の前記第２ディスクが前記スクリーン本体の軸方向の両端に設けられている請求項２に記載のドラムスクリーン装置。
【請求項４】
前記第２ディスクの面の外周平面部は、凸形状を有する請求項１から３のいずれか一項に記載のドラムスクリーン装置。
【請求項５】
前記凸形状は、第２ディスクの外周から前記スクリーン本体の逆転方向に沿って徐々に第２ディスクの中心に近づく弧状部分を含む請求項４に記載のドラムスクリーン装置。
【請求項６】
前記第２ディスクの面の外周平面部は、凹形状を有する請求項１から３のいずれか一項に記載のドラムスクリーン装置。
【請求項７】
前記凹形状は、前記第２ディスクの外周から前記スクリーン本体の逆転方向に沿って徐々に前記第２ディスクの中心に近づく弧状部分を含む請求項６に記載のドラムスクリーン装置。
【請求項８】
前記第２ディスクの面の外周平面部は、切り込みを有する請求項１から３のいずれか一項に記載のドラムスクリーン装置。
【請求項９】
前記流入槽の前記下流底面部のうちの少なくとも一部は、可撓性を有する可撓性底板部である請求項１から８のいずれか一項に記載のドラムスクリーン装置。
【発明の詳細な説明】
【技術分野】
【０００１】
本発明は、ドラムスクリーン装置に関する。
【背景技術】
【０００２】
従来、下水道施設などには、例えば特許文献１のように、流れてくる処理対象水に含まれるし渣（比較的大きなゴミ）を捉えて処理対象水から除去するためのドラムスクリーン装置（または、ディスクスクリーン装置とも呼ばれる）が設けられている。ドラムスクリーン装置は、複数の円板状またはリング状のディスクを所定間隔で配列して円柱状の外観を有するスクリーン本体（ドラムスクリーン本体）を備える。スクリーン本体は、その軸線が水路の幅方向に向くように水路に配される。
【０００３】
この種のドラムスクリーン装置では、スクリーン本体が回転することで、処理対象水と共に水路の上流側から流れてくるし渣をスクリーン本体の外周部に付着させ、処理対象水から除去する。
特許文献１には、し渣がスクリーン本体の外周部に好適に付着するように、ディスクの外周面に、し渣を引っ掛けるための爪状の突起（し渣掻き揚げ用レーキ）を形成した構成が開示されている。
【先行技術文献】
【特許文献】
【０００４】
【特許文献１】特開２００８−３０３５４２号公報
【発明の概要】
【発明が解決しようとする課題】
【０００５】
しかしながら、上記従来のドラムスクリーン装置では、スクリーン本体の上流側における処理対象水の状態（例えば、処理対象水の（渦流などの）流れや、処理対象水の貯留状態（水位または水流））の影響を受けて、し渣がスリップし、スクリーン本体に捉えられずに上流側で滞留することがある。この場合、し渣が集積して大きな塊に成長しまう、という不具合が生じる。
特許文献１のドラムスクリーン装置では、ディスクの外周面に形成されたし渣掻き揚げ用レーキ（以下、レーキと呼ぶ）によって、上記したし渣の集積を抑制できるものの、し渣がレーキに絡みつく可能性がある。この場合、ディスククリーン装置の稼働が不安定になるため、頻繁に装置を停止して、人力でし渣をスクリーン本体から取り除く必要がある。
【０００６】
本発明は、スクリーン本体の上流側においてし渣が大きな塊に成長することを抑制でき、かつ、安定した稼働が可能なドラムスクリーン装置を提供することを目的とする。
【課題を解決するための手段】
【０００７】
本発明の第１の態様に係るドラムスクリーン装置は、処理対象水を流すための流入槽を有する水路部と、軸方向が前記水路部の幅方向に向くように配される回転軸、及び、前記回転軸に対してその軸方向に間隔をあけて設けられる複数のディスクを有し、前記流入槽の下流側に前記回転軸を中心に回転自在に設けられるスクリーン本体と、前記流入槽の底面の下流側に位置し、前記スクリーン本体と前記流入槽の底面との間に隙間が生じないように設けられた下流底面部と、を備え、前記複数のディスクは、第１ディスクと、前記第１ディスクの径とは異なる径を有する第２ディスクと、を含み、前記第２ディスクの径は、前記第１ディスクの径よりも大きい。
【０００８】
前記ドラムスクリーン装置によれば、し渣が水路部の上流側隣接領域に滞留し集積しても、し渣は第２ディスクにより分割された状態で集積される。そのため、し渣が上流側隣接領域において軸方向に長い塊に成長することを抑制できる。
また、前記ドラムスクリーン装置によれば、第２ディスクの回転により、し渣が回転しながらロール状に成長する際の回転方向とは逆方向の回転トルクがし渣に対して発生し、し渣が上流側隣接領域において回転しにくくなる。そのため、し渣が上流側隣接領域において径方向に太い塊に成長することを抑制できる。
したがって、前記ドラムスクリーン装置によれば、頻繁に装置を停止して、人力でし渣をスクリーン本体から取り除く必要がなく、ドラムスクリーン装置の安定した稼働が可能となる。
【０００９】
本発明の第２の態様に係る前記ドラムスクリーン装置においては、前記複数のディスクは、少なくとも２つの前記第２ディスクを含んでもよい。
【００１０】
前記ドラムスクリーン装置によれば、水路部の上流側隣接領域に滞留し集積したし渣は、水路部の更に上流側から浮遊状態で流れ込むし渣の流れにより、スクリーン本体に向けて後から押圧される。そして、更に押されたし渣は軸方向の両側に広がり、２つの第２ディスクの面にそれぞれ押し当てられる。そのため、し渣が第２ディスクの外周平面部の間に挟まれてスリップせずに保持された状態で、スクリーン本体が回転することにより、し渣がスクリーン本体の傾斜が緩やかな上部に到達しやすい。言いかえれば、少量ではスリップしていたし渣が、一定以上溜まることにより両側から第２ディスクにより挟まれて保持され、まとめて除去される。
また、前記ドラムスクリーン装置によれば、し渣が両側から第２ディスクにより挟まれて保持された状態で、し渣が回転しながらロール状に成長する際の回転方向とは逆方向の回転トルクがし渣に対して発生する。そのため、し渣が上流側隣接領域において更に回転しにくくなり、径方向に太い塊に成長することをより有効に抑制できる。
【００１１】
本発明の第３の態様に係る前記ドラムスクリーン装置においては、前記第２ディスクのうち、一対の前記第２ディスクが前記スクリーン本体の軸方向の両端に設けられていてもよい。
【００１２】
前記ドラムスクリーン装置によれば、水路部の上流側隣接領域のうちスクリーン本体の軸方向の全領域において、し渣を第２ディスクの間に挟んで保持することができる。これによって、水路部の上流側隣接領域の幅方向の両端に流れ込んで滞留するし渣も、効率よくスクリーン本体のドラム状曲面部に捉えて除去することができる。すなわち、し渣が水路部の上流側隣接領域に滞留することを効果的に抑制できる。
【００１３】
本発明の第４の態様に係る前記ドラムスクリーン装置においては、前記第２ディスクの面の外周平面部は、凸形状を有していてもよい。
【００１４】
前記ドラムスクリーン装置によれば、第２ディスクの面の外周平面部に押し当てられたし渣の隙間に、第２ディスクの凸形状が進入し、し渣がスリップせずにスクリーン本体により確実に保持される。そのため、し渣を効率よくスクリーン本体のドラム状曲面部に捉えて除去し、し渣が水路部の上流側隣接領域に滞留することを効果的に抑制できる。
【００１５】
本発明の第５の態様に係る前記ドラムスクリーン装置においては、前記凸形状は、前記第２ディスクの外周から前記スクリーン本体の逆転方向に沿って徐々に前記第２ディスクの中心に近づく弧状部分を含んでいてもよい。
【００１６】
前記ドラムスクリーン装置によれば、第２ディスクの面の外周平面部に押し当てられて保持されるし渣を、スクリーン本体の回転に伴って、徐々に異径ディスクの中心に近づけるように誘導する。これにより、スクリーン本体のドラム状曲面部に完全に捉えられていないし渣であっても、第２ディスクの面の外周平面部で捉えることにより、スクリーン本体のドラム状曲面部のうちの傾斜が緩やかな上部に到達しやすくなる。
【００１７】
本発明の第６の態様に係る前記ドラムスクリーン装置においては、前記第２ディスクの面の外周平面部は、凹形状を有していてもよい。
【００１８】
前記ドラムスクリーン装置によれば、第２ディスクの面の外周平面部に押し当てられたし渣に含まれる棒状や突起状の部分が、第２ディスクの凹形状にはまり込み、し渣がスリップせずにスクリーン本体により確実に保持される。そのため、し渣を効率よくスクリーン本体のドラム状曲面部に捉えて除去し、し渣が水路部の上流側隣接領域に滞留することを効果的に抑制できる。
【００１９】
本発明の第７の態様に係る前記ドラムスクリーン装置においては、前記凹形状は、前記第２ディスクの外周から前記スクリーン本体の逆転方向に沿って徐々に前記第２ディスクの中心に近づく弧状部分を含んでいてもよい。
【００２０】
前記ドラムスクリーン装置によれば、第２ディスクの面の外周平面部に押し当てられて保持されるし渣を、スクリーン本体の回転に伴って、徐々に第２ディスクの中心に近づけるように誘導する。これにより、スクリーン本体のドラム状曲面部に完全に捉えられていないし渣であっても、第２ディスクの面の外周平面部で捉えることにより、スクリーン本体のドラム状曲面部のうちの傾斜が緩やかな上部に到達しやすくなる。
【００２１】
本発明の第８の態様に係る前記ディスクスクリーン装置においては、前記第２ディスクの面の外周平面部は、切り込みを有していてもよい。
【００２２】
前記ディスクスクリーン装置によれば、し渣の塊のうちの繊維状の部分が切り込みに挟まれて引っ掛かる。これにより、第２ディスクの両面にわたって分割されずに滞留するし渣の塊を、スクリーン本体に捉えて除去することができる。
これにより、し渣が水路部の上流側隣接領域に滞留することを効果的に抑制できる。
【００２３】
本発明の第９の態様に係る前記ドラムスクリーン装置においては、前記流入槽の前記下流底面部のうちの少なくとも一部は、可撓性を有する可撓性底板部であってもよい。
【００２４】
前記ドラムスクリーン装置によれば、し渣が強力にスクリーン本体に捉えられ、し渣回収部５で落下せずにスクリーン本体とともに一周する場合であっても、スクリーン本体に付着したし渣が、可撓性を有する流入槽の可撓性底板部を押し上げる。そのため、スクリーン本体の回転を阻害する過トルクが生じることなく、ドラムスクリーン装置が稼働を続けることができ、ドラムスクリーン装置の安定した稼働が可能になる。
【発明の効果】
【００２５】
本発明の態様によれば、スクリーン本体の上流側においてし渣が大きな塊に成長することを抑制でき、かつ、ドラムスクリーン装置の安定した稼働を可能にする。
【図面の簡単な説明】
【００２６】
【図１】本発明の態様の実施形態に係るドラムスクリーン装置の概略を示す側断面図である。
【図２Ａ】本発明の態様の実施形態に係るドラムスクリーン装置のスクリーン本体を示す斜視図である。
【図２Ｂ】本発明の態様の実施形態に係るドラムスクリーン装置のディスクの他の一例を示す平面図図である。
【図３Ａ】本発明の態様の実施形態に係るドラムスクリーン装置の概略を示す上面図である。
【図３Ｂ】本発明の態様の実施形態に係るドラムスクリーン装置の下流底面部の変形例を示す上面図である。
【図３Ｃ】本発明の態様の実施形態に係るドラムスクリーン装置の下流底面部の変形例を示す上面図である。
【図４】本発明の態様の実施形態に係るドラムスクリーン装置の上流側隣接領域におけるし渣の状態を示す図である。
【図５】本発明の態様の実施形態に係るドラムスクリーン装置の可撓性底板部の動きを示す図である。
【図６】本発明の態様のディスククリーン装置の異径ディスクの第１変形例を示す平面図である。
【図７Ａ】本発明の態様のディスククリーン装置の異径ディスクの第２変形例を示す平面図である。
【図７Ｂ】本発明の態様の実施形態に係るドラムスクリーン装置の第２変形例の異径ディスクが、し渣を捉える際の動作を示す図である。
【図８】本発明の態様のディスククリーン装置の異径ディスクの第３変形例を示す平面図である。
【発明を実施するための形態】
【００２７】
以下、図面を参照しつつ本発明の態様の実施形態について説明する。
図１は、本発明の態様の実施形態に係るドラムスクリーン装置１の概略を示す側断面図である。より具体的には、後述するドラムスクリーン装置１の上面図である図３ＡのＡ−Ａ線に沿う断面図である。
図１に示すように、本実施形態に係るドラムスクリーン装置１は、下水等の処理対象水Ｗに含まれるし渣を処理対象水Ｗから除去するものである。ドラムスクリーン装置１は、水路部２と、スクリーン本体３と、し渣剥離部４と、し渣回収部５と、底板１３を備える。
水路部２は、下水等の処理対象水Ｗを上流から下流に流すものである。本実施形態の水路部２は、外部から流入された処理対象水Ｗを貯留可能な流入槽１１と、流入槽１１から流出した処理対象水Ｗが流入する排水槽１２と、を備える。
【００２８】
流入槽１１は、平面視矩形の箱状に形成されている。流入槽１１は、その底面１３に沿う一方向（図１において左方向）を下流側として処理対象水Ｗが流れるように構成されている。流入槽１１の上流側端部（図１において右側の端部）には、処理対象水Ｗを外部から流入するための流入管１４が接続されている。
流入槽１１の底面１３の下流側の端部には、回転するスクリーン本体３と底面１３との間からし渣が排水槽１２に流れ出ることを防ぐため、スクリーン本体３と底面１３との間に隙間が生じないように設けられた下流底面部６が設けられている。下流底面部６の更に下流側の端部には、対象処理水Ｗが排水槽に流れ落ちるように開口部１５が形成されている。
【００２９】
排水槽１２は、上方に開口する平面視矩形の箱状に形成されている。排水槽１２は、流入槽１１の開口部１５から下方（鉛直方向下側）に流れ落ちる処理対象水Ｗが排水槽１２内に流入するように、流入槽１１よりも下方に配される。排水槽１２は、少なくとも処理対象水Ｗが流入槽１１の開口部１５から流れ落ちる位置に配されればよい。すなわち、排水槽１２は、例えば流入槽１１の直下に配されなくてもよいが、本実施形態では、流入槽１１の直下まで延びて形成されている。
排水槽１２には、排水槽１２内に流入した処理対象水Ｗを外部に排出するための排水管１６が接続されている。
【００３０】
以下の説明では、上記した流入槽１１や排水槽１２を含む水路部２の深さ方向（鉛直方向）、及び、水路部２における処理対象水Ｗの流れ方向、に直交する方向を、水路部２（流入槽１１、排水槽１２）の幅方向と呼ぶ。
【００３１】
スクリーン本体３は、処理対象水Ｗに含まれるし渣Ｒを捉えるものであり、回転軸２１と、複数のディスク２２と、を備える。円形状の複数のディスク２２は、基準ディスク７と、基準ディスク７とは異なる径を有する異径ディスク８と、を含んでいる。
回転軸２１は、その軸方向が水路部２の幅方向に向くように配され、水路部２に対して回転自在に取り付けられている。
【００３２】
図２Ａは、本発明の態様の実施形態に係るドラムスクリーン装置１のスクリーン本体３を示す斜視図である。
スクリーン本体３は、複数のディスク２２が、軸方向に間隔をあけて配置されており、略円柱状（ドラム状）の外観を有している。これら複数のディスク２２は、基準ディスク７と、基準ディスク７の径よりも大きい径を有する異径ディスク８と、の組み合せである。これら複数のディスク２２は、いずれもディスク２２の中心に回転軸２１を通して、回転軸２１に固定されている。そのため、図１の側断面図に示すように、軸方向から基準ディスク７と異径ディスク８を重ねて見ると、異径ディスク８の面のうち径方向の大きさが均等な平面視ドーナツ状の外周平面部９だけが見えることとなる。
【００３３】
基準ディスク７は、軸方向に複数が連続して所定の間隔をあけて配置される。ここで、基準ディスク７の外周を取り囲む基準ディスク外周面１９と、軸方向にあけて設けられる所定の間隔とが繰り返されることにより、全体としてスクリーン本体３のドラム状曲面部１０を形成する。
【００３４】
本実施形態の基準ディスク７は、一例として、平面視円形状の各ディスクが均一に形成されて、軸方向に複数の基準ディスク７が連続して並べて配置されることにより、ドラム状曲面部１０を形成している。また、他の例として、後述の図２Ｂに示すような支持材付きの環状の部材を連続して並べて配置することによりドラム状曲面部１０を形成することも一般的に行われている。
【００３５】
異径ディスク８は、スクリーン本体３の軸方向の両端に１つずつ設けられている端部異径ディスク８Ａと、ドラム状曲面部１０を軸方向に分割するように１つずつ設けられる分割異径ディスク８Ｂと、を含む。図２Ａに示すように、本実施形態のスクリーン本体３では、２つの端部異径ディスク８Ａと２つの分割異径ディスク２Ｂの合計４つの異径ディスク８が設けられている。
【００３６】
外周平面部９は、外周平面部９からスクリーン本体３の軸方向に向かって突出する凸部１８を複数有している。これら凸部１８は、全体的に丸みがかった略三角錐状の外観を有しており、特に凸部１８の先端部分と外周平面部９に接する底面部分の角は丸く形成されている。一例において、凸部１８は、外周平面部９に周方向に等間隔で合計８個設けられている。他の例においては、合計８個以外の個数が設けられている。また、一例において、径方向では、外周平面部９の径方向の中央よりもやや外側に設けられている。他の例においては、外周平面部９の径方向の中央、または中央よりも内側に設けられている。
【００３７】
図２Ｂは、本発明の態様の実施形態に係るドラムスクリーン装置１のディスク２２の他の一例を示す平面図である。図２Ｂには、ディスク２２の変形例として環状異径ディスク３２が示されている。環状異径ディスク３２は、中央に穴が空いた平板なドーナツ状に形成されており、回転軸２１が複数の支持材３３によって中心に固定されている。このように形成することで、し渣Ｒを捉えるために必要な外周平面部９を確保しつつ、外周平面部９よりも軸方向中心側を中空にすることにより、スクリーン本体３を軽量化することができる。中空構造において、中空部（空隙部）を介してし渣Ｒの排出が促進され、ディスク間でのし渣Ｒによる目詰まり（特に、微細なし渣によるディスク間の奥部での目詰まり）が防止される。
基準ディスク７についても、図示しない環状基準ディスク３４を用いて回転軸２１に近い部分を中空とすることにより、スクリーン本体３を軽量化することができる。
【００３８】
本変形例の環状異径ディスク３２の外周平面部９は、周方向に等間隔で４分割されており、凸部１８が設けられていない平坦部９１と、凸部が設けられている捕捉部９２が周方向で交互に配置されている。一例においては、捕捉部９２には凸部１８が設けられているが、他の例においては、後述の細溝凹部２４や弧状溝部２９など、本発明の態様に係るドラムスクリーン装置の実施形態や変形例として開示されている他の構成を用いて捕捉部９２としてもよい。
【００３９】
凸部１８が設けられた捕捉部９２によって効率的にし渣Ｒを捉えることができる一方で、スクリーン本体３からし渣Ｒを剥離するときや、後述の可撓性底板版６Ａを通過するときには、平坦部９１で形成された外周平面部９によってスクリーン本体３の稼働をより円滑にすることができる。そのため、外周平面部９の限られた部分のみに捕捉部９２を設け、他の部分を平坦部９１とすることも有効である。また、捕捉部９２と平坦部６１がスクリーン本体３の回転に従って繰り返し上流側隣接領域ＣＬＡを通過するように、外周平面部９に平坦部９１と捕捉部９２とを周方向で交互に配置することも有効である。
【００４０】
図３Ａは、本発明の態様の実施形態に係るドラムスクリーン装置１の概略を示す上面図である。
図３Ａに示すように、４つの異径ディスク８のうち、端部異径ディスク８Ａの凸部１８は、水路部２の幅方向の内側に面する片面の外周平面部９にのみに設けられている。一方、分割異径ディスク８Ｂの凸部１８は、ディスク両面の外周平面部９に設けられている。
【００４１】
異径ディスク８は、流入槽１１の上流側隣接領域ＣＬＡを流入槽１１の幅方向に並ぶ複数の分割領域ＰＡに分割する。本実施形態における異径ディスク８は、２つの端部異径ディスク８Ａと、２つの分割異径ディスクの合計４つであるため、分割領域ＰＡの数は３つ（ＰＡ１、ＰＡ２、ＰＡ３）となる。
【００４２】
下流底面部６は、流入槽１１の底面１３の下流側に位置し、流入槽１１の底面１３から略同一平面上に、スクリーン本体３と流入槽１１の底面１３との間に隙間が生じないように設けられている。下流底面部６は、平面視で底面１３のうち上流側隣接領域ＣＬＡに対応する位置に設けられており、図３Ａに示すように、下流底面部６のスクリーン本体側の形状は、異径ディスク８と突部１８がこすらずに通過できるような形状で設けられている。これにより、スクリーン本体３と流入槽１１の底面１３との間の隙間が最小化され、排水槽１２へのし渣Ｒの侵入が抑制される。
【００４３】
図３Ｂおよび図３Ｃは、本発明の態様の実施形態に係るドラムスクリーン装置の下流底面部６の変形例を示す上面図である。図３Ｂおよび図３Ｃは、図３Ａにおける点線で囲まれた領域に対応する領域の拡大図である。図３Ｂの一例においては、異径ディスク８は凸部１８がなく平面視において突出する部分がない。そのため、下流底板部６には、異径ディスク８が下流底面部６にこすらずに通過できるような形状の通過用スリットが設けられている。このスリットの幅Ｗ１は、異径ディスク８の厚さ方向の寸法よりも僅かに大きい寸法に設定されている。
【００４４】
図３Ｃの一例においては、異径ディスク８には凸部１８が設けられている。そのため、下流底板部６には、異径ディスク８から突出する凸部１８がこすらずに通過できるような形状の通過用スリットが設けられている。このスリットの幅Ｗ２は、異径ディスク８の厚さ方向の寸法と凸部１８の高さ方向の寸法（いずれもスクリーン本体３の軸方向の寸法）を合計した寸法よりも僅かに大きい寸法に設定されている。
【００４５】
また、図３Ｃの一例においては、幅Ｗ２の寸法を異径ディスク８だけでなく凸部１８をも通過させるため、幅Ｗ１に比べて大きく確保する必要がある。このとき、スクリーン本体３と底面１３との間に隙間が生じないようにするため、下流底面部６は、その一部が可撓性底板部６Ａによって形成されている。
【００４６】
図３Ｃに示す可撓性底板部６Ａは、し渣Ｒが流入槽１１から排水槽１２に入り込むことを防止するために設けられた下流底面部６の一部であり、ゴムの部材である。
すなわち、一例における下流底面部６の構成では、凸部１８が設けられた異径ディスク８が下流底面部６を通過することができるように、異径ディスク８の通過用スリットの内側に突起１８の形状に倣った可撓性底板部６Ａを設けている。すなわち、可撓性底板版６Ａには凸部１８の通過用切欠きが設けられている。
【００４７】
図１に示すように、上記した構成のスクリーン本体３は、水路部２の流れ方向の中途部に配される。本実施形態において、スクリーン本体３は、流入槽１１の開口部１５に隣接して配され、排水槽１２の上方に位置する。これにより、流入槽１１の開口部１５から流出する処理対象水Ｗは、複数のディスク２２の間を通るようにスクリーン本体３を通過して排水槽１２に流入する。
【００４８】
本実施形態において、スクリーン本体３は、回転軸２１が流入槽１１の開口部１５の下端よりも低く位置するように配される。これにより、スクリーン本体３のドラム状曲面部１０のうち流入槽１１の開口部１５の下端から上方に延びる部位（円柱前面部位２５）は、流入槽１１の底面１３に対して垂直に立ち上がる、または、開口部１５から下流側に離れるように傾斜する。言い換えれば、スクリーン本体３の一部が開口部１５から上流側に離れるように傾斜して、下流底面部６または流入槽１１の底面１３上に張り出すことはない。
【００４９】
スクリーン本体３は、モータ等の駆動源（不図示）によって回転駆動される。駆動源は、処理対象水Ｗの影響を受けないようにスクリーン本体３から離れて位置する。スクリーン本体３の回転軸２１は、チェン等の伝達手段によって駆動源の回転軸に連結される。
スクリーン本体３は、図１の白抜き矢印で示すスクリーン本体回転方向Ｄ１に回転し、回転軸２１に固定された複数のディスク２２も同じ方向に回転する。すなわち、スクリーン本体３の回転によって、ドラムドラム状曲面部１０の流入槽１１側に向くドラム前面部位２５と、異径ディスクの外周を取り囲む異径ディスク外周面２０のうち流入槽１１側に向く異径ディスク前面部位２７は、スクリーン本体３の上方に移動するように回転する。
これにより、処理対象水Ｗの通過に伴ってスクリーン本体３のドラム状曲面部１０および異径ディスク外周面２０が捉えたたし渣Ｒを、流入槽１１における処理対象水Ｗの水面よりも上方に移動させることができる。すなわち、し渣Ｒを処理対象水Ｗから除去することができる。
【００５０】
し渣剥離部４は、スクリーン本体３の回転に伴ってスクリーン本体３のドラム状曲面部１０または異径ディスク前面部位２７に付着したし渣Ｒを剥離するために設けられる。し渣剥離部４は、スクリーン本体３のドラム前面部位２５および異径ディスク前面部位２７と反対側（図示例において左側）に向くドラム状曲面部１０のドラム背面部位２６および異径ディスク背面部位２８に接触して配される。し渣剥離部４は、図１に例示するように複数のディスク２２の間に入り込む櫛歯状に形成されてもよいし、例えば単に複数のディスク２２の外周面に当接する楔形状に形成されてもよい。また、櫛歯状のし渣剥離部４であっても、例えば櫛歯のつけ根がディスク２２の外周面に当接するように形成されてもよい。
【００５１】
し渣回収部５は、し渣剥離部４によってスクリーン本体３から剥離したし渣Ｒを回収するものである。本実施形態において、し渣回収部５は、し渣剥離部４の下方に設置され、スクリーン本体３から剥離して落下するし渣Ｒを回収する。
し渣回収部５は、例えば上方に開口する箱であってもよいが、本実施形態では上下方向に延びる配管（シュート部）である。し渣回収部５の下端の開口から外部に出たし渣Ｒは、例えばし渣Ｒを脱水するし渣脱水機（不図示）等のし渣処理装置に投入される。
【００５２】
また、本実施形態のドラムスクリーン装置１は、流入槽１１における処理対象水Ｗの水位が過剰に上昇しないように処理対象水Ｗを流入槽１１の外部に排出するオーバーフロー流路部１７も備える。オーバーフロー流路部１７は、流入槽１１の上部に開口する。図１において、オーバーフロー流路部１７は、流入槽１１に対してスクリーン本体３の上端よりも低い高さ位置に開口しているが、例えば、流入槽１１に対してスクリーン本体３の上端と同等の高さ位置に開口してもよい。
【００５３】
これにより、仮にスクリーン本体３の上流側（流入槽１１の開口部１５）にし渣Ｒが滞留することで流入槽１１における水位が上昇しても、流入槽１１中の処理対象水Ｗがオーバーフロー流路部１７を通じて流入槽１１の外部に排出される。このため、流入槽１１における処理対象水Ｗの水位がスクリーン本体３の上端を超えることを防止できる。これにより、流入槽１１中の処理対象水Ｗがし渣回収部５に流れ込むことを防止できる。
【００５４】
次に、本実施形態のドラムスクリーン装置１の動作について説明する。
図１に示すように、ドラムスクリーン装置１では、スクリーン本体３が回転している状態において、処理対象水Ｗが、流入槽１１の流入管１４側から開口部１５に向けて流れ、スクリーン本体３を通過して排水槽１２に流れ落ちる。
流入槽１１の開口部１５に向けて流れる処理対象水Ｗにし渣Ｒが含まれる場合、し渣Ｒは、流入槽１１の上流側隣接領域ＣＬＡにおいていずれかの分割領域ＰＡに入り込み、回転するスクリーン本体３のドラム状曲面部１０のうち流入槽１１側に向くドラム前面部位２５に付着する。
スクリーン本体３は、そのドラム前面部位２５が上方に移動するように回転するため、スクリーン本体３に付着したし渣Ｒは、処理対象水Ｗの水面よりも上方に移動し、処理対象水Ｗから分離される。その後、スクリーン本体３に付着したし渣Ｒは、スクリーン本体３の回転に伴って、スクリーン本体３のドラム背面部位２６まで移動し、自らの重さによってスクリーン本体３から離れて、し渣回収部５内に落下する。また、自らの重さによってはスクリーン本体３から剥離されないし渣は、更にスクリーン本体３の回転に伴って移動し、し渣剥離部４によってスクリーン本体３から剥離され、し渣回収部５内に落下する。
以上が、ドラムスクリーン装置１の基本的な動作である。
【００５５】
図４は、本発明の態様の実施形態に係るドラムスクリーン装置１の上流側隣接領域ＣＬＡにおけるし渣Ｒの状態を示す図である。図４（Ａ）は、し渣Ｒが分割領域ＰＡに入り込んだ状態を示す。図４（Ｂ）は、し渣Ｒがスクリーン本体３に捉えられる状態を示す。
以下に、図１、図３Ａ、図４を参照しつつ、ドラムスクリーン装置１の動作をより具体的に説明する。
図３Ａに示すように、流入槽１１の開口部１５に向けて流れる処理対象水Ｗに含まれるし渣Ｒは、流入槽１１の上流側隣接領域ＣＬＡにおいて、分割異径ディスク８Ｂにより分割されたいずれかの分割領域ＰＡに入り込む。そして、回転するスクリーン本体３のドラム前面部位２５に付着して上方に移動し、処理対象水Ｗから分離される。
このとき、スリップによりうまくドラム前面部位２５に付着して処理対象水Ｗから分離されずに滞留するし渣Ｒは、例えば図４（Ａ）の分割領域ＰＡ２に示すように、分割異径ディスク８Ｂによって上流側隣接領域ＣＬＡが分割された分割領域ＰＡの内側で滞留する。そのため、この状態で滞留を続け、成長したし渣Ｒの塊の軸方向寸法は、図４（Ｂ）の分割領域ＰＡ２に示すように、分割領域ＰＡの軸方向寸法よりも短くなる。
【００５６】
図１の側断面図に示すように、スクリーン本体３は、白抜き矢印で示すスクリーン本体回転方向Ｄ１に向けて回転する。そして、いずれかの分割領域ＰＡに入り込んだし渣Ｒは、更に上流側から浮遊状態で流れ込むし渣Ｒの流れにより、ドラム前面部位２５に向けて後から押圧される。この力により、し渣がスクリーン本体３のドラム前面部位２５に対してスリップすることがある。その場合、し渣Ｒはドラム前面部位２５に付着せずに上流側隣接領域ＣＬＡにおいて滞留し、し渣Ｒには図１の白抜き矢印で示すし渣回転方向Ｄ２の方向に回転しようとする力が働く。この回転をロール運動と称し、ロール運動が続くことによって、し渣Ｒは径方向に徐々に太く成長する。
【００５７】
ここで、スクリーン本体３の外周平面部９は、同様にスクリーン本体回転方向Ｄ１に回転しようとするため、ロール運動のし渣回転方向Ｄ２とは逆方向の回転トルクが発生する。このロール運動とは逆方向の回転トルクが、外周平面部９押圧されて保持されたし渣Ｒに加わり、し渣Ｒのロール運動の発生が抑えられる。そのため、この状態でし渣Ｒが滞留しても、図４（Ａ）の分割領域ＰＡ３に示すように、ロール運動が発生しにくく径方向に太い塊に成長しない。
【００５８】
また、図４（Ｂ）の分割領域ＰＡ３に示すように、ドラム前面部位２５に向けて後から押圧されたし渣Ｒは、更に後ろから押圧されて徐々に軸方向の両側に広がっていく。そして更にし渣が集積すると、図４（Ｂ）の分割領域ＰＡ２に示すように、異径ディスク８の外周平面部９に向けて押圧される。このようにして、し渣Ｒは両側に位置する２つの異径ディスク８の外周平面部９によって挟まれて保持される。そして、更にし渣Ｒが集積し、し渣と外周平面部９との間の押圧力が一定以上に強まると、図４（Ｂ）の分割領域ＰＡ１に示すように、し渣の塊は一気にスクリーン本体３の回転と共に処理対象水Ｗから分離されて、スクリーン本体３の傾斜が緩やかな上部に到達する。その後、し渣Ｒはドラム背面部位２６まで移動して、し渣回収部５内に落下する。すなわち、少量ではスリップしていたし渣Ｒが、一定以上溜まることにより両側から異径ディスク８の外周平面部９により挟まれて保持され、まとめて除去される。
【００５９】
またこのとき、外周平面部９に設けられた略三角錐状の凸部１８が押圧されたし渣Ｒの隙間に容易に進入するため、外周平面部９がし渣Ｒを捉えやすい。ここで、本実施形態の凸部１８は全体的に丸みがかった略三角錐状である。そのため、爪のような引っ掛かりがなく、し渣Ｒがスクリーン本体３の傾斜が緩やかな上部にから円柱背面部位２６まで移動した後に、自らの重さによってスクリーン本体３から離れて落下することを阻害しない。
【００６０】
また、凸部１８は、外周平面部９の径方向の中央よりもやや外側に設けられているため、回転軸２１から遠い位置にあるし渣Ｒを捉えやすい一方で、し渣Ｒがスクリーン本体３の傾斜が緩やかな上部に到達すると、し渣Ｒの自らの重さにより凸部１８のない軸方向中心に向けて移動する。そのため、凸部１８が外周平面部９の径方向の中央よりもやや外側に設けられていることによって、し渣Ｒが自らの重さによってスクリーン本体３から離れて落下することを阻害しない。
なお、凸部１８としては、略三角錐状の外観を有する形状でなくとも、外周平面部９に押圧されたし渣Ｒの隙間に進入する形状であればよい。
【００６１】
流入槽１１を流れる処理対象水Ｗに含まれるし渣Ｒは、水路部２の幅方向の全域にわたって含まれている。ところが、スクリーン本体３の上流側における処理対象水Ｗの流れや、流入槽１１の水位、処理対象水Ｗが流れ込む勢いなどによって、流入槽１１内に流れが生じ、し渣Ｒが上流側隣接領域ＣＬＡの水路部２の幅方向の両端に近い位置に滞留することがある。
【００６２】
この場合、し渣Ｒは、スクリーン本体３の軸方向の両端に設けられている端部異径ディスク８Ａのいずれかよって、幅方向の両端に位置する分割領域ＰＡ１または分割領域ＰＡ３のいずれかに導かれる。そして、上述のように端部異径ディスク８Ａの外周平面部９と、これに対向する分割異径ディスク８Ｂの外周平面部９とに挟まれて保持され、スクリーン本体３の回転に伴って除去される。このようにして、ドラムスクリーン装置１は、水路部２の幅方向の両端に近い位置に滞留するし渣Ｒも含めて、水路部２の幅方向の全域にわたって含まれるし渣Ｒを捉えて取り除く。
【００６３】
次に、図５を参照しつつ、可撓性底板部６Ａの動きについて説明する。
図５は、本発明の態様の実施形態に係るドラムスクリーン装置１の可撓性底板部６Ａの動きを示す図である。
分割領域ＰＡの内側で、両側から異径ディスク８の外周平面部９により挟まれて保持されたし渣Ｒの塊の中には、処理対象水Ｗに含まれる様々なゴミが含まれている。そのため、例えば、し渣Ｒに含まれる繊維状のゴミが複数の突起に絡まったり、或いは、長い棒状のゴミが両側から異径ディスク８の外周平面部９によって力が加えられて突っ張り棒のような状態になり、し渣Ｒの塊がスクリーン本体３に強力に捉えられてしまうことがある。
【００６４】
この場合、スクリーン本体３に捉えられたし渣Ｒの一部は、スクリーン本体３の回転に伴って移動し、し渣剥離部４によってスクリーン本体３から剥離され、し渣回収部５内に落下する。ここで、し渣剥離部４によっても剥離されないし渣Ｒが残る場合、し渣Ｒは引き続きスクリーン本体３に捉えられた状態でスクリーン本体３の下部へと移動し、可撓性底板部６Ａの位置に到達する。
【００６５】
可撓性底板部６Ａは、スクリーン本体３と流入槽１１の底面１３との間に生じる隙間から、し渣Ｒが排水槽１２に入り込まないように隙間を覆うように設けられており、異径ディスク８の通過用スリットおよび凸部１８の通過用切欠きが形成されている。そのため、そのままではスクリーン本体３に強力に捉えられたし渣Ｒは可撓性底板部６Ａを通過できない。
【００６６】
ここで、図５に示すように、し渣Ｒはスクリーン本体３の回転に伴って可撓性を有するゴムの可撓性底板部６Ａを押し曲げながら持ち上げる。そして、し渣Ｒは、可撓性底板部６Ａを押し上げながら、可撓性底板部６Ａの位置を通過し、スクリーン本体３は引き続き回転を続ける。そして、し渣Ｒに押し上げられた可撓性底板部６Ａは、し渣Ｒが通過すると元の位置に戻るため、スクリーン本体３の回転が阻害されずに継続する。このとき、し渣Ｒが可撓性底板部６Ａによって進行を妨げられてしまうと、スクリーン本体３には過トルクが発生して回転が妨げられるが、上述のようにし渣Ｒは、可撓性を有するゴム部材である可撓性底板部６Ａを通過できるため、スクリーン本体３の回転が阻害されずに継続する。
【００６７】
このようにして、スクリーン本体３に強力に捉えられたし渣Ｒは、スクリーン本体３と共に一周してもスクリーン本体３の回転を阻害しない。そして、回転を続けるうちに、上流から流れてくるし渣Ｒに外周側から押しつけられて外周平面部９のうち異径ディスク８の中心側に更に移動したり、ドラムスクリーン装置１の動作に伴う振動によって徐々に姿勢を変えたりする。これにより、し渣Ｒをスクリーン本体３に強力に捉えていたゴミの一部が外れ、自らの重さによってスクリーン本体３から離れて、し渣回収部５内に落下する。また、最初はし渣剥離部４によって剥離されなかったし渣Ｒも、このようにし渣Ｒが移動したり、姿勢を変えたりすることによってし渣剥離部４と接触するようになり、剥離されてし渣回収部５内に落下する。
【００６８】
次に、図６を参照しつつ、異径ディスク８の変形例１について説明する。なお、上述の実施形態と同一態様については同一符号を付して説明を省略する。
図６は、本発明の態様のディスククリーン装置１の異径ディスク８の第１変形例である異径ディスク８１を示す平面図である。
図６に示すように、異径ディスク８の変形例１である異径ディスク８１の外周平面部９は、外周の縁から径方向に中心に向かって溝状に延びる複数の細溝凹部２４を全周にわたって有している。これら細溝凹部２４は、均一の幅を有する溝であり、外周平面部９から軸方向に向かって凹んでいる。細溝凹部２４は、外周平面部９に周方向に等間隔で多数設けられており、外周平面部９の縁から外周平面部９の径方向寸法の中央付近まで延びるように設けられている。
【００６９】
異径ディスク８１は、上述の実施形態と同様に、４つの異径ディスク８１のうち、端部異径ディスク８１Ａの細溝凹部２４は、水路部２の幅方向の内側に面する片面の外周平面部９にのみに設けられている。一方、分割異径ディスク８１Ｂの細溝凹部２４は、ディスク両面の外周平面部９に設けられている。
【００７０】
異径ディスク８１は、上述の実施形態の異径ディスク８と同様に、し渣Ｒを異径ディスク８１の外周平面部９で両側から挟み、まとめて除去することができる。このとき、外周平面部９に設けられて溝状に延びる複数の細溝凹部２４に、外周平面部９に押し当てられたし渣Ｒに含まれる棒状や突起状の部分がはまり込む。そのため、し渣Ｒがスリップせずにスクリーン本体３に確実に保持される。
【００７１】
また、細溝凹部２４は、外周平面部９の縁から外周平面部９の径方向寸法の中央付近まで延びるように設けられているため、回転軸２１から遠い位置にあるし渣Ｒを捉えて保持しやすい。一方で、し渣Ｒがスクリーン本体３の傾斜が緩やかな上部に到達すると、し渣Ｒは自らの重さにより細溝凹部２４が設けられていない外周平面部９の径方向の中央付近よりも更に内側に向けて落下する。
外周平面部９の径方向の中央付近より内側では、細溝凹部２４がなく過剰にし渣Ｒを保持することがないため、し渣Ｒはスクリーン本体３から離れることを阻害されず、スクリーン本体の回転と共に自らの重さにより更に加速して落下する。そのため、細溝凹部２４が設けられている外周平面部９に捉えられることなく、自らの重さによって加速されて排出される。
【００７２】
異径ディスク８１が用いられるドラムスクリーン装置１においても、下流底面部６は、異径ディスク８に下流底面部６を通過させるための異径ディスク８の通過用スリットを有するが、異径ディスク８１は上述の実施形態のように軸方向に突出する凸部１８を有しないため、異径ディスク通過用スリットの幅は、異径ディスク８がこすらずに通過でき、隙間が生じない程度の幅で設けられている。
【００７３】
また、本実施形態の細溝凹部２４は、溝状に径方向に直線的に均一の幅で延びているが、細溝凹部２４は例えば複数の同心円など、曲線を描くものであってもよい。また、均一の幅ではない平面視Ｖ字状の溝や、径方向中心に向かって深さが浅くなるような溝であってもよい。また、径方向に対して傾斜する直線状に沿って延びていてもよい。
【００７４】
次に、図７Ａを参照しつつ、異径ディスク８の変形例２について説明する。なお、上述の実施形態および変形例と同一態様については同一符号を付して説明を省略する。
図７Ａは、本発明の態様のディスククリーン装置１の異径ディスク８の第２変形例である異径ディスク８２を示す平面図である。
図７Ａに示すように、異径ディスク８の変形例２である異径ディスク８２の外周平面部９には、変形例１の細溝凹部２４と同様の均一の幅を有する溝が渦巻状に形成された渦巻状凹部３０が形成されている。渦巻状凹部３０の溝は平面視において渦巻状の外観を有する点で変形例１の細溝凹部２４と異なる。
【００７５】
この渦巻状凹部３０は、外周の縁からスクリーン本体３の回転方向であるＤ１に対して逆転方向に沿って弧を描きつつ徐々に異径ディスク８２の中心に近づく弧状溝部２９を含んでいる。異径ディスク８２は、このような弧状溝部２９を含む渦巻状凹部３０を全周にわたって有している。また渦巻状凹部３０は、外周平面部９の縁から径方向の中央付近まで延びるように設けられている。
【００７６】
異径ディスク８２は、上述の変形例１の異径ディスク８１と同様に、し渣Ｒを異径ディスク８２の外周平面部９で両側から挟み、まとめて除去することができる。また、外周平面部９に設けられた渦巻状凹部３０に、外周平面部９に押し当てられたし渣Ｒに含まれる棒状や突起状の部分がはまり込み、し渣Ｒがスリップせずにスクリーン本体３に確実に保持される。
【００７７】
次に、図７Ｂを参照しつつ、渦巻状凹部３０がし渣Ｒを捉える際の動作について説明する。図７Ｂは、本発明の態様のディスクスクリーン装置１の第２変形例の異径ディスク８がし渣Ｒを捉える際の動作を示す図である。
図７Ｂに示すように、し渣Ｒは分割領域ＰＡに入り込んで異径ディスク８の外周平面部９に向けて押圧される。そして、渦巻状凹部３０に含まれる弧状溝部２９は、スクリーン本体３の回転方向Ｄ１に対し、逆転方向に沿って弧を描きつつ徐々に異径ディスク８２の中心に近づくように形成されている。そのため、弧状溝部２９は、異径ディスク８２の外周平面部９に押し当てられて保持されるし渣Ｒがドラム前面部位２５に捉えられずに滞留した場合でも、スクリーン本体３の回転に伴って、し渣Ｒを矢印Ｄ２で示す方向に徐々に異径ディスク８２の中心に近づけるように誘導する。そのため、スクリーン本体３のドラム状曲面部１０が未だ完全に捉えていない回転軸２１から遠い位置にあるし渣Ｒは、異径ディスク８２の弧状溝部２９によってディスクの中心に近づく方向に誘導し、そして傾斜が緩やかなスクリーン本体３の上部に移動させて除去する。
【００７８】
一例として、本実施形態の渦巻状凹部３０は、連続して設けられる弧状溝部２９により全体的に平面視において渦巻状の外観を有するように形成されている。他の例においては、複数の弧状溝部２９が分断された状態で外周平面部９に形成されていてもよい。また、更に他の例においては、平面視で複数の異心円を組み合せた形状により弧状溝部２９を形成してもよく、複数の連続して設けられる弧状溝部２９が外周平面部２９に形成されていてもよい。
また上記各例において、弧状溝部２９に替え、外周平面部９に弧状凸部３４を含む渦巻状凸部３５（いずれも不図示）を形成してもよく、更に弧状溝部２９と弧状凸部の両方を組合せて形成してもよい。
【００７９】
次に、図８を参照しつつ、異径ディスク８の変形例３について説明する。なお、上述の実施形態および変形例と同一態様については同一符号を付して説明を省略する。
図８は、本発明の態様のディスククリーン装置１の異径ディスク８の第３変形例である異径ディスク８３を示す平面図である。
図８に示すように、異径ディスク８の変形例３である異径ディスク８３の外周平面部９には、外周の縁から径方向に中心に向かって複数の切り込み３１が全周にわたって形成されている。これら切り込み３１は、均一の幅を有する切り込みであり、異径ディスク８３の両面の外周平面部９を軸方向に貫通するように形成されている点で、変形例１の細溝凹部２４および変形例２の渦巻状凹部３０と異なる。切り込み３１は、外周平面部９に周方向に等間隔で多数設けられており、また径方向では、外周平面部９の縁から径方向の中央付近まで延びるように設けられている。
【００８０】
異径ディスク８３は、上述の実施形態と同様に、し渣Ｒを異径ディスク８２の外周平面部９で両側から挟み、まとめて除去することができる。また、外周平面部９に設けられた切り込み３１に、外周平面部９に押し当てられたし渣Ｒに含まれる棒状や突起状の部分がはまり込み、し渣Ｒがスリップせずにスクリーン本体３に確実に保持される。また、し渣Ｒに含まれる繊維状や紐のような長く柔軟な部分は、切り込み３１に挟まれることにより引っかかる。
【００８１】
また、２つの分割領域ＰＡにわたって分割されずに滞留しているし渣Ｒの塊のうち、繊維状や紐のような長く柔軟な部分は、切り込み３１に挟まれることで引っかかる。例えば、分割異径ディスク８Ｂで完全に分断されていない軸方向に長く集積するし渣Ｒは、このようにし渣Ｒの一部が切り込み３１に引っかかると、軸方向に分断されることなく、そのままスクリーン本体３に捉えられて、傾斜が緩やかなスクリーン本体３の上部に運ばれて除去される。
【００８２】
また、本実施形態の切り込み３１は、径方向に直線的に均一の幅で延びているが、半円形など曲線部分を有するものであってもよい。また、径方向の長さをより短くして、引っ掛かったし渣Ｒの一部が外れやすくすることにより、自らの重さでし渣回収部５内に落下しやすくしてもよい。
【００８３】
以上説明したように、本実施形態のドラムスクリーン装置１は、複数のディスク２２を備え、複数のディスク２２は、基準ディスク７と基準ディスク７とは異なる径を有する異径ディスク８と、を含む。そして、異径ディスク８の径は、基準ディスク７の径よりも大きい。
【００８４】
そのため、上述のドラムスクリーン装置１によれば、し渣Ｒが水路部２の上流側隣接領域ＣＬＡに滞留し集積しても、し渣Ｒは異径ディスク８により分割された状態で集積される。そのため、し渣Ｒが上流側隣接領域ＣＬＡにおいて軸方向に長い塊に成長することを抑制できる。
また、上述のドラムスクリーン装置１によれば、異径ディスク８の回転により、し渣Ｒが回転しながらロール状に成長する際のし渣回転方向Ｄ２とは逆方向の回転トルクがし渣Ｒに対して発生し、し渣Ｒが上流側隣接領域ＣＬＡにおいて回転しにくくなる。そのため、し渣Ｒが上流側隣接領域ＣＬＡにおいて径方向に太い塊に成長することを抑制できる。
【００８５】
したがって、上述のドラムスクリーン装置１によれば、頻繁に装置を停止して、人力でし渣Ｒをスクリーン本体３から取り除く必要がなく、ドラムスクリーン装置１の安定した稼働が可能となる。
【００８６】
また、本実施形態のドラムスクリーン装置１は、複数のディスク２２は、少なくとも２つの異径ディスク８を含む。
そのため、し渣Ｒが異径ディスク８の外周平面部９の間に挟まれてスリップせずに保持された状態で、スクリーン本体３が回転することにより、し渣Ｒがスクリーン本体３の傾斜が緩やかな上部に到達しやすい。言いかえれば、少量ではスリップしていたし渣Ｒが、一定以上溜まることにより両側から挟まれて保持され、まとめて除去される。
また、前記ドラムスクリーン装置１によれば、し渣Ｒが両側から挟まれて保持された状態で、し渣Ｒが回転しながらロール状に成長する際のし渣回転方向Ｄ２とは逆方向の回転トルクがし渣に対して発生する。そのため、し渣Ｒが上流側隣接領域ＣＬＡにおいて更に回転しにくくなり、径方向に太い塊に成長することをより有効に抑制できる。
【００８７】
また、本実施形態のドラムスクリーン装置１は、異径ディスク８のうち、一対の異径ディスク８がスクリーン本体３の軸方向の両端に設けられている。
そのため、上述のドラムスクリーン装置１によれば、水路部２の上流側隣接領域ＣＬＡのうちスクリーン本体３の軸方向の全領域において、し渣Ｒを異径ディスク８の間に挟んで保持することができる。これにより、水路部２の上流側隣接領域ＣＬＡの幅方向の両端に流れ込んで滞留するし渣Ｒも、効率よくスクリーン本体３のドラム状曲面部１０に捉えて除去することができる。すなわち、し渣Ｒが水路部２の上流側隣接領域ＣＬＡに滞留することを効果的に抑制できる。
【００８８】
また、本実施形態のドラムスクリーン装置１は、異径ディスク８の外周平面部９が、凸部１８を有している。
そのため、上述のドラムスクリーン装置１によれば、異径ディスク８の外周平面部９に押し当てられたし渣Ｒの隙間に、凸部１８が進入し、し渣Ｒがスリップせずにスクリーン本体３により確実に保持される。そのため、し渣Ｒを効率よくスクリーン本体３のドラム状曲面部１０に捉えて除去し、し渣Ｒが水路部２の上流側隣接領域ＣＬＡに滞留することを効果的に抑制できる。
【００８９】
また、本実施形態の変形例１のドラムスクリーン装置１は、異径ディスク８の外周平面部９が、細溝凹部２４を有している。
そのため、上述のドラムスクリーン装置１によれば、異径ディスク８の外周平面部９に押し当てられたし渣Ｒに含まれる棒状や突起状の部分が、細溝凹部２４にはまり込み、し渣Ｒがスリップせずにスクリーン本体３により確実に保持される。そのため、し渣Ｒを効率よくスクリーン本体３のドラム状曲面部１０に捉えて除去し、し渣Ｒが水路部２の上流側隣接領域ＣＬＡに滞留することを効果的に抑制できる。
【００９０】
また、本実施形態の変形例２のドラムスクリーン装置１は、渦巻状３０が、異径ディスク８の外周からスクリーン本体回転方向Ｄ１に対する逆転方向に沿って徐々に異径ディスク８の中心に近づく弧状溝部２９を含んでいる。
そのため、上述のドラムスクリーン装置１によれば、異径ディスク８の外周平面部９に押し当てられて保持されるし渣Ｒを、スクリーン本体３の回転に伴って、徐々に異径ディスク８の中心に近づけるように誘導する。これにより、スクリーン本体３のドラム状曲面部１０に完全に捉えられていないし渣Ｒであっても、異径ディスク８の外周平面部９で捉えることにより、スクリーン本体３のドラム状曲面部１０のうちの傾斜が緩やかな上部に到達しやすくなる。
【００９１】
また、本実施形態の変形例３のドラムスクリーン装置１は、異径ディスク８の外周平面部９が切り込みを有する。
そのため、上述のドラムスクリーン装置１によれば、し渣Ｒの塊のうちの繊維状の部分が切り込みに挟まれて引っ掛かる。これにより、異径ディスク８の両面にわたって分割されずに滞留するし渣Ｒの塊を、スクリーン本体３に捉えて除去することができる。これにより、し渣Ｒが水路部２の上流側隣接領域ＣＬＡに滞留することを効果的に抑制できる。
【００９２】
また、本実施形態のドラムスクリーン装置１は、流入槽１１のゴムの可撓性底板部６Ａが可撓性を有する。
そのため、上述のドラムスクリーン装置１によれば、し渣Ｒが強力にスクリーン本体３に捉えられ、し渣回収部５で落下せずにスクリーン本体３とともに一周する場合であっても、スクリーン本体３に付着したし渣Ｒが、可撓性を有する流入槽１１の可撓性底板部６Ａを押し上げる。そのため、スクリーン本体３の回転を阻害する過トルクが生じることなく、ドラムスクリーン装置１が稼働を続けることができ、ドラムスクリーン装置１の安定した稼働が可能になる。
【００９３】
以上、本発明の態様について説明したが、本発明は上述した実施形態および変形例に限定されるものではなく、本発明の趣旨を逸脱しない範囲において種々の変更を加えることができる。
【００９４】
例えば、水路部２は、直線状に延びる配管であってもよい。この場合、スクリーン本体３は、処理対象水Ｗの流れ方向に対応する配管の長手方向の中途部に配されればよい。
【符号の説明】
【００９５】
１  ドラムスクリーン装置
２  水路部
３  スクリーン本体
６  下流底面部
６Ａ  可撓性底板部
７  基準ディスク（第１ディスク）
８  異径ディスク（第２ディスク）
９  外周平面部 
１０  ドラム状曲面部（円柱曲面部）
１１  流入槽
１３  底面
１８  凸部（凸形状）
２１  回転軸
２２  ディスク
２４  細溝凹部（凹形状）
２９  弧状溝部（凹形状、弧状部分）
３０  渦巻状凹部（凹形状）
３１  切り込み
ＣＬＡ  上流側隣接領域
ＰＡ  分割領域
Ｒ  し渣
Ｗ  処理対象水
Ｄ１  スクリーン本体回転方向
Ｄ２  し渣回転方向
【図１】
2018066239.tif 000003
【図２Ａ】
2018066239.tif 000004
【図２Ｂ】
2018066239.tif 000005
【図３Ａ】
2018066239.tif 000006
【図３Ｂ】
2018066239.tif 000007
【図３Ｃ】
2018066239.tif 000008
【図４】
2018066239.tif 000009
【図５】
2018066239.tif 000010
【図６】
2018066239.tif 000011
【図７Ａ】
2018066239.tif 000012
【図７Ｂ】
2018066239.tif 000013
【図８】
2018066239.tif 000014